(57)【特許請求の範囲】
【請求項１】
両端が開口された筒状のケース本体と、
そのケース本体内に、内部を二つに区画するために軸線方向へ延びるように支持された仕切板と、
前記ケース本体の両端開口部に螺合され、内部にコンタクトレンズの保存液を収容するための一対の有蓋筒状をなすキャップと、
各キャップの内底部に回転可能に支持されたベース板と、
コンタクトレンズを支持するためにベース板に回動自在に取付けられた支持体と
を備えたコンタクトレンズの収容ケース。
【請求項２】
前記ベース板を円板状に形成し、その中心位置で回転可能に支持するとともに、コンタクトレンズを支持するための支持体をベース板に設けた支持軸で回動可能に支持した請求項１に記載のコンタクトレンズの収容ケース。
【請求項３】
前記支持体にはベース板の支持軸を挟持するように開閉可能に形成されたスリットを設けた請求項２に記載のコンタクトレンズの収容ケース。
【発明の詳細な説明】
【０００１】
【発明の属する技術分野】
この発明は、コンタクトレンズの不使用時に、コンタクトレンズを保管する場合に使用されるコンタクトレンズの収容ケースに関するものである。
【０００２】
【従来の技術】
従来、この種のコンタクトレンズの収容ケースとしては、例えば、図８に示すような構成のものが知られている。この従来構成においては、両端が開口された円筒状のケース本体３１と、内部を二つに区画するための仕切板３２と、ケース本体３１の両端開口部に螺合される一対の有蓋円筒状をなすキャップ３３と、各キャップ３３の内底部に配設されたベース板３４と、コンタクトレンズ３５を支持するためにベース板３４に一体形成された支持体３６とが備えられている。この収容ケース内にはコンタクトレンズ３５の保存液３７が収容されている。
【０００３】
そして、このコンタクトレンズ３５の収容ケースにおいては、ケース本体３１の両端に一対のキャップ３３が螺合され、内部にコンタクトレンズ３５の保存液３７が収容される。また、仕切板３２によって区画された各区画室３８内には、各支持体３６に支持されたコンタクトレンズ３５が一枚ずつ収納されて保管される。
【０００４】
【発明が解決しようとする課題】
ところが、この従来のコンタクトレンズ３５の収容ケースにおいては、仕切板３２により区画された各区画室３８がケース本体３１の軸線方向に並ぶように形成され、軸線方向の空間を大きく占めるようになっている。
【０００５】
このため、収容ケースは大きく、バッグなどに入れて持ち運びする場合に不便であり、ポケットにいれたとき嵩張ったり、表面側から目立ったりするという問題があった。しかも、収容ケースの容積が大きいことから、保存液３７の必要量が多くなり、経済的でないという問題があった。
【０００６】
この発明は、このような従来の技術に存在する問題点に着目してなされたものである。その目的とするところは、小型化及び軽量化を図ることができ、持ち運びを容易にすることができるとともに、ポケットなどに入れても、嵩張ったり、目立ったりしないようにすることができるコンタクトレンズの収容ケースを提供することにある。また、他の目的とするところは、小型化により、製造コストの低減を図ることができるとともに、使用時に保存液の交換量を減らして経済的にすることができるコンタクトレンズの収容ケースを提供することにある。
【０００７】
【課題を解決するための手段】
上記の目的を達成するために、請求項１に記載のコンタクトレンズの収容ケースの発明では、両端が開口された筒状のケース本体と、そのケース本体内に、内部を二つに区画するために軸線方向へ延びるように支持された仕切板と、前記ケース本体の両端開口部に螺合され、内部にコンタクトレンズの保存液を収容するための一対の有蓋筒状をなすキャップと、各キャップの内底部に回転可能に支持されたベース板と、コンタクトレンズを支持するためにベース板に回動自在に取付けられた支持体とを備えたものである。
【０００８】
請求項２に記載の発明では、請求項１に記載のコンタクトレンズの収容ケースにおいて、前記ベース板を円板状に形成し、その中心位置で回転可能に支持するとともに、コンタクトレンズを支持するための支持体をベース板に設けた支持軸で回動可能に支持したものである。
【０００９】
請求項３に記載の発明では、請求項２に記載のコンタクトレンズの収容ケースにおいて、前記支持体にはベース板の支持軸を挟持するように開閉可能に形成されたスリットを設けたものである。
【００１０】
従って、請求項１に記載のコンタクトレンズの収容ケースにおいては、ケース本体内には内部を二つに区画する仕切板が軸線方向へ延びるように支持され、仕切板により区画形成された区画室がケース本体の軸線方向と直交方向に並んで設けられる。
【００１１】
このため、ケース本体の大きさを従来品の大きさの半分にすることが可能になる。
そして、各キャップの支持体にコンタクトレンズを取付支持した後、各キャップをケース本体に螺合して取付ける。このとき、ベース板はキャップの内底部に対して回転し、支持体はベース板に対して回動する。
【００１２】
従って、キャップがケース本体に対して回転されても、各支持体は各々の区画室内に位置することができる。
請求項２に記載のコンタクトレンズの収容ケースにおいては、前記ベース板が円板状に形成され、板がその中心位置で回転可能に支持されるとともに、コンタクトレンズを支持するための支持体がベース板に設けられた支持軸で回動可能に支持されている。
【００１３】
このため、ケース本体の両端開口部に対する各キャップの螺入又は螺退により、ベース板がキャップの内底部で回転されるとともに、ベース板に設けられた支持軸により支持された支持体が回動されてケース本体の一区画室内の位置を確実に保持することができる。
【００１４】
請求項３に記載のコンタクトレンズの収容ケースにおいては、支持体にはスリットがベース板の支持軸を挟持するように開閉可能に設けられている。
このため、支持体のスリットを支持軸に押しつけることにより、支持体をベース板の支持軸に容易に取付けることができる。
【００１５】
【発明の実施の形態】
以下に、この発明の一実施形態を図１〜図７に基づいて詳細に説明する。
図１及び図２に示すように、ケース本体１は両端を開口した円筒状に形成され、その内部には中央位置で軸線方向へ延びる仕切板２が設けられている。この仕切板２によりケース本体１内に２つの区画室３が形成されている。雄ネジ４は、ケース本体１の両端外面に刻設されている。
【００１６】
一対のキャップ５は有蓋円筒状をなし、その内周面に雌ネジ６が形成されている。そして、両キャップ５はその雌ネジ６がケース本体１の雄ネジ４に螺合されることにより、ケース本体１の両端に取付けられる。その状態で各区画室３内にはコンタクトレンズ７の保存液８が収容される。また、環状溝１０は両キャップ５の内底部に設けられている。
【００１７】
図１，図２及び図７に示すように、ベース板１１は周縁部が両キャップ５の環状溝１０内に遊嵌状態で配置されている。回転軸１２はキャップ５の内底部に突設され、ベース板１１の係合穴１３に係合され、ベース板１１を回転可能に支持している。
【００１８】
図５に示すように、支持軸１４は円柱状の本体の一端に円錐台状の係合突部１５が設けられるとともに、他端に小径の係止突部１６が設けられている。
図６に示すように、合成樹脂により形成された支持体１７は、ベース板１１上に配置される基板１８と、コンタクトレンズ７を収容する収容凹部１９を有する支持環２０と、基板１８と支持環２０とを連結するクランク状の連結棒２１とよりなっている。嵌合孔２２は基板１８の中心に透設され、スリット２３はその嵌合孔２２を通って基板１８の外周縁まで切欠き形成されている。前記支持軸１４はベース板１１に設けられた貫通孔２４を無理嵌めにより貫通して支持体１７の嵌合孔２２を通り、係止突部１６が基板１８上に係止される。
【００１９】
このとき、基板１８のスリット２３の部分をベース板１１の貫通孔２４から突出した支持軸１４に押し付けることにより、支持軸１４がスリット２３を介して移動し、嵌合孔２２に嵌合されるようになっている。この状態で、支持体１７がベース板１１に対して回動可能に支持される。
【００２０】
そして、図３に示すように、収容凹部１９にコンタクトレンズ７を収容した状態で両キャップ５をケース本体１内に挿入した後、キャップ５をケース本体１に対して回転させる。このとき、図４に示すように、支持体１７の支持環２０がベース板１１とともに連れ回りして仕切板２に当接すると、支持体１７がベース板１１に対して相対回転するとともに、ベース板１１がキャップ５に対して相対回転するようになっている。
【００２１】
次に、この実施形態のコンタクトレンズの収容ケースについて作用を説明する。
さて、このコンタクトレンズ７の収容ケースにおいて、図５に示すように、支持軸１４はベース板１１に設けられた貫通孔２４に無理嵌めされて回動可能に取付けられる。
【００２２】
次に、図６に示すように、ベース板１１に支持軸１４を取付けた状態で、基板１８のスリット２３の部分を支持軸１４に押しつけることにより、支持軸１４が相対的にスリット２３を介して移動し、嵌合孔２２に嵌合する。これにより、支持体１７はベース板１１に対して回動可能に支持される。
【００２３】
図７に示すように、キャップ５の環状溝１０内にベース板１１を無理嵌めし、遊嵌状態で配置する。このとき、キャップ５の内底部に突設された回転軸１２がベース板１１の係合穴１３に係合し、ベース板１１を回転可能に支持する。
【００２４】
そして、コンタクトレンズ７の不使用時にコンタクトレンズ７を保管する場合には、各々の支持体１７の収容凹部１９にコンタクトレンズ７を取付支持し、一方の支持体１７を有するキャップ５をケース本体１端部に螺入して完全に締め付ける。
【００２５】
このとき、ベース板１１はキャップ５の内底部に対して回転し、支持体１７はベース板１１に対して回動するため、キャップ５がケース本体１に対して回転されても、支持体１７は一区画室３内に位置することができる。
【００２６】
次いで、ケース本体１に螺合したキャップ５が下側になるようにケース本体１を配置し、そのケース本体１の内部に保存液８を注入してコンタクトレンズ７全体が浸るようにする。
【００２７】
さらに、支持体１７が挿入されていない区画室３内に他方のキャップ５に装着された支持体１７を挿入し、キャップ５をケース本体１端部に螺入して完全に締め付ける。
【００２８】
このとき、一方のキャップ５をケース本体１端部に螺入したときと同様に、ベース板１１はキャップ５の内底部に対して回転し、支持体１７はベース板１１に対して回動するため、キャップ５がケース本体１に対して回転されても、支持体１７は一区画室３内に位置することができる。
【００２９】
これにより、図１に示すように、仕切板２によって区画された各区画室３内には、各支持体１７に支持されたコンタクトレンズ７が一枚ずつ収納されて保管される。
【００３０】
前記の実施形態によって発揮される効果について、以下に記載する。
（１）  このコンタクトレンズ７の収容ケースにおいては、ケース本体１内を仕切板２により区画形成した区画室３がケース本体１の軸線方向と直交する方向に並んで設けられている。
【００３１】
従って、コンタクトレンズ７の収容ケースを従来品の半分の大きさにすることが可能となり、小型化及び軽量化を図ることができる。しかも、持ち運びを容易にすることができるとともに、ポケットなどに入れても、嵩張ったり、目立ったりしないようにすることができる。
（２）  ケース本体１の両端開口部に対する各キャップ５の螺入又は螺退により、ベース板１１がキャップ５の内底部で回転されるとともに、ベース板１１に設けられた支持軸１４により支持された支持体１７が回動される。
【００３２】
このため、ケース本体１の一区画室３内の位置を保持することができるとともに、各区画室３内にコンタクトレンズ７を一枚ずつ収納して保管することができる。
（３）  支持体１７にベース板１１の支持軸１４に対して回動可能に嵌合するようにスリット２３が開閉可能に設けられている。
【００３３】
従って、スリット２３を支持軸１４に押しつけて支持軸１４を嵌合孔２２に嵌合させることにより、ベース板１１に支持体１７を容易に取付けることができる。
（４）  前述のように、コンタクトレンズ７の収容ケースが従来品より小型化するように構成されている。
【００３４】
このため、使用材料を減らして製造コストの低減を図ることができるとともに、使用時に保存液の交換量を減らして経済的にすることができる。
なお、前記実施形態は、次のように変更して具体化することも可能である。
（ａ）  各キャップ５にコンタクトレンズ７の右目用か左目用かを識別できるように表示部を設けること。
【００３５】
このように構成すれば、コンタクトレンズ７の右目用と左目用とを間違わないようにすることができる。
（ｂ）  各キャップ５にそれぞれ異なる色を着色して形成すること。
【００３６】
このように構成すれば、色を指定してコンタクトレンズ７の右目用と左目用とを識別することができる。
（ｃ）  前記ケース本体１を多角筒状に形成するとともに、それに対応するようにキャップ５を多角筒状に形成すること。
【００３７】
このように構成すれば、円筒状のものでは転がりやすく不安定であったが、安定してコンタクトレンズ７を保管することができる。
（ｄ）  前記仕切板２に保存液８が通過可能な一つ又は複数の開口部を形成すること。
【００３８】
このように構成すれば、各区画室３内にそれぞれ保存液８を注入しなくても良く、一方の区画室３内に保存液８を注入すればコンタクトレンズ７全体を浸すことができるとともに、手間を省くことができる。
（ｅ）  前記保存液８に代えて、洗浄液などを使用すること。
【００３９】
このように構成すれば、コンタクトレンズ７を保管している間にコンタクトレンズ７を洗浄して清潔にすることができる。
さらに、前記実施形態より把握される技術的思想について以下に記載する。
（１）  一方のベース板のみに二個の支持体を回動可能に支持した請求項２に記載のコンタクトレンズの収容ケース。
【００４０】
このように構成すれば、他方のベース板が必要なくなり、収容ケースをさらに小型化することができる。
（２）  ベース板をキャップの内底部の環状溝内に収納した請求項１又は請求項２に記載のコンタクトレンズの収容ケース。
【００４１】
このように構成すれば、ベース板が環状溝内から抜け落ちなくすることができ、キャップがケース本体に対して回転されても、ベース板はキャップの内底部に対して回転することができる。
（３）  支持体を支持軸を中心に回動できるようにクランク状に形成した請求項２又は請求項３に記載のコンタクトレンズの収容ケース。
【００４２】
このように構成すれば、支持体は支持軸を中心にして同一軌道上を移動することができる。
（４）  前記仕切板に開口部を設けた請求項１に記載のコンタクトレンズの収容ケース。
【００４３】
このように構成すれば、仕切板の容積を小さくすることができるので、コンタクトレンズの収容ケースの製造コストを低減することができる。
【００４４】
【発明の効果】
この発明は、以上のように構成されているため、次のような効果を奏する。
請求項１に記載の発明によれば、ケース本体の小型化及び軽量化を図ることができ、持ち運びを容易にすることができるとともに、ポケットなどに入れても、嵩張ったり、目立ったりしないようにすることができる。また、小型化により、製造コストの低減を図ることができるとともに、使用時に保存液の交換量を減らして経済的にすることができる
請求項２に記載の発明によれば、ケース本体の両端開口部に対する各キャップの螺入又は螺退により、ベース板がキャップの内底部で回転されるとともに、ベース板に設けられた支持軸により支持された支持体が回動されてケース本体の一区画室内の位置を確実に保持することができる。
【００４５】
請求項３に記載の発明によれば、支持体のスリットを開いた状態で支持体をベース板の支持軸に対して容易に取付けることができる。
【図面の簡単な説明】
【図１】  本発明の一実施形態の収容ケースを示す断面図。
【図２】  本発明の一実施形態の収容ケースを示す分解斜視図。
【図３】  本発明の一実施形態のケース本体を示す平面断面図。
【図４】  同じく本発明の一実施形態の作用を示す平面断面図。
【図５】  ベース板に支持軸を嵌合する状態を示す正面図。
【図６】  ベース板の支持軸に支持体を嵌合する状態を示す斜視図。
【図７】  キャップにベース板を嵌合する状態を分解して示す部分断面図。
【図８】  従来のコンタクトレンズの収容ケースを示す斜視図。
【符号の説明】
１…ケース本体、２…仕切板、５…キャップ、７…コンタクトレンズ、８…保存液、１１…ベース板、１４…支持軸、１７…支持体、２３…スリット。
【図１】
0003820284.tif 000002
【図２】
0003820284.tif 000003
【図３】
0003820284.tif 000004
【図４】
0003820284.tif 000005
【図５】
0003820284.tif 000006
【図６】
0003820284.tif 000007
【図７】
0003820284.tif 000008
【図８】
0003820284.tif 000009